(57)【特許請求の範囲】
【請求項１】
１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、１個の切換弁及び低圧タンク・高圧タンクがそれぞれ配設され、前記切換弁が低圧位置に位置するとき、大気が低圧位置にある切換弁の吸込通路を通って圧縮機の吸込ポートに連通されるとともに圧縮機の吐出ポートが低圧位置にある切換弁の吐出通路を通って低圧タンクに連通され、前記切換弁が高圧位置に位置するとき、低圧タンクが高圧位置にある切換弁の吸込通路を通って圧縮機の吸込ポートに連通されるとともに圧縮機の吐出ポートが高圧位置にある切換弁の吐出通路を通って高圧タンクに連通されることを特徴とする空気圧縮装置。
【請求項２】
１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、１個の切換弁及び低圧タンク・中圧タンク・高圧タンクがそれぞれ配設され、前記切換弁が低圧位置に位置するとき、大気が低圧位置にある切換弁の吸込通路を通って圧縮機の吸込ポートに連通されるとともに圧縮機の吐出ポートが低圧位置にある切換弁の吐出通路を通って低圧タンクに連通され、前記切換弁が中圧位置に位置するとき、低圧タンクが中圧位置にある切換弁の吸込通路を通って圧縮機の吸込ポートに連通されるとともに圧縮機の吐出ポートが中圧位置にある切換弁の吐出通路を通って中圧タンクに連通され、前記切換弁が高圧位置に位置するとき、中圧タンクが高圧位置にある切換弁の吸込通路を通って圧縮機の吸込ポートに連通されるとともに圧縮機の吐出ポートが高圧位置にある切換弁の吐出通路を通って高圧タンクに連通されることを特徴とする空気圧縮装置。
【請求項３】
１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、４ポートの第１切換弁・第２切換弁及び第１タンク・第２タンクがそれぞれ配設され、第１切換弁が連通位置に位置し第２切換弁が遮断位置に位置するとき、大気が第１切換弁の吸込通路を通って圧縮機の吸込ポートに連通されるとともに圧縮機の吐出ポートが第１切換弁の吐出通路を通って第１タンクに連通され、第１切換弁が遮断位置に位置し第２切換弁が連通位置に位置するとき、第１タンクが第２切換弁の吸込通路を通って圧縮機の吸込ポートに連通されるとともに圧縮機の吐出ポートが第２切換弁の吐出通路を通って第２タンクに連通されることを特徴とする空気圧縮装置。
【請求項４】
１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、４ポートの第１切換弁〜第ｎ切換弁及び第１タンク〜第ｎタンクがそれぞれ配設され、第１切換弁が連通位置に位置し第２切換弁〜第ｎ切換弁が遮断位置に位置するとき、大気が第１切換弁の吸込通路を通って圧縮機の吸込ポートに連通されるとともに圧縮機の吐出ポートが第１切換弁の吐出通路を通って第１タンクに連通され、第２切換弁〜第ｎ切換弁及び第２タンク〜第ｎタンクについてｎを２から順次に増加して、第１切換弁〜第ｎ−１切換弁が遮断位置に位置し第ｎ切換弁が連通位置に位置するとき、第ｎ−１タンクが第ｎ切換弁の吸込通路を通って圧縮機の吸込ポートに連通されるとともに圧縮機の吐出ポートが第ｎ切換弁の吐出通路を通って第ｎタンクに連通されることを特徴とする空気圧縮装置。
【発明の詳細な説明】
【０００１】
【発明の属する技術分野】
本発明は、空気圧を利用する各種の機械・装置に、圧縮空気を供給するための空気圧縮装置に関する。
【０００２】
【従来の技術】
工場などで高圧の圧縮空気を使用したい場合、通常は図４(a) に示すように、１台の高昇圧比の圧縮機51を電動機により作動させ、空気を圧縮して高圧の圧縮空気を作り出し、タンク52に充填している。１台の圧縮機51で高圧まで昇圧するためには、圧縮機51を多段にする必要があり、圧縮機51の構造が複雑となり、大きな動力を要しコスト高となる欠点がある。しかも、各種の機械・装置に利用され得る高圧に空気を一気に昇圧させると、過大の温度の圧縮空気となり、圧縮空気を冷却しなければならない。
【０００３】
過大の温度上昇を生じないようにするため、図４(b) に示すように、２台の低昇圧比の圧縮機55，56を直列に接続し、１段目の圧縮機55で空気を大気圧から中圧に昇圧させ、２段目の圧縮機56で中圧の圧縮空気を高圧に昇圧させ、タンク53に充填することが考えられている。複数の低昇圧比の圧縮機を利用した、空気の２段圧縮，多段圧縮により空気の温度上昇は減少する。しかし、圧縮空気の使用量が少ない場合には、複数台の圧縮機を必要とすることはコストの上昇をもたらすこととなる。
【０００４】
【発明が解決しようとする課題】
本発明は、空気圧縮装置において、１台の低昇圧比の圧縮機により高圧の圧縮空気を発生させることを第１課題とし、昇圧の途中の圧縮空気を取り出して高圧、低圧等の圧縮空気を発生させることを第２課題とする。
【０００５】
【課題を解決するための手段】
本発明は、１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、１個の切換弁及び低圧タンク・高圧タンクがそれぞれ配設され、前記切換弁が低圧位置に位置するとき、大気が低圧位置にある切換弁の吸込通路を通って圧縮機の吸込ポートに連通されるとともに圧縮機の吐出ポートが低圧位置にある切換弁の吐出通路を通って低圧タンクに連通され、前記切換弁が高圧位置に位置するとき、低圧タンクが高圧位置にある切換弁の吸込通路を通って圧縮機の吸込ポートに連通されるとともに圧縮機の吐出ポートが高圧位置にある切換弁の吐出通路を通って高圧タンクに連通されることを第１構成とする。
本発明は、１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、１個の切換弁及び低圧タンク・中圧タンク・高圧タンクがそれぞれ配設され、前記切換弁が低圧位置に位置するとき、大気が低圧位置にある切換弁の吸込通路を通って圧縮機の吸込ポートに連通されるとともに圧縮機の吐出ポートが低圧位置にある切換弁の吐出通路を通って低圧タンクに連通され、前記切換弁が中圧位置に位置するとき、低圧タンクが中圧位置にある切換弁の吸込通路を通って圧縮機の吸込ポートに連通されるとともに圧縮機の吐出ポートが中圧位置にある切換弁の吐出通路を通って中圧タンクに連通され、前記切換弁が高圧位置に位置するとき、中圧タンクが高圧位置にある切換弁の吸込通路を通って圧縮機の吸込ポートに連通されるとともに圧縮機の吐出ポートが高圧位置にある切換弁の吐出通路を通って高圧タンクに連通されることを第２構成とする。
本発明は、１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、４ポートの第１切換弁・第２切換弁及び第１タンク・第２タンクがそれぞれ配設され、第１切換弁が連通位置に位置し第２切換弁が遮断位置に位置するとき、大気が第１切換弁の吸込通路を通って圧縮機の吸込ポートに連通されるとともに圧縮機の吐出ポートが第１切換弁の吐出通路を通って第１タンクに連通され、第１切換弁が遮断位置に位置し第２切換弁が連通位置に位置するとき、第１タンクが第２切換弁の吸込通路を通って圧縮機の吸込ポートに連通されるとともに圧縮機の吐出ポートが第２切換弁の吐出通路を通って第２タンクに連通されることを第３構成とする。
本発明は、１台の低昇圧比の圧縮機と適宜数の切換弁と複数個のタンクが配管により連通され、圧縮機の作動と切換弁の切換操作により、相対的に低い圧力の空気が相対的に高い圧力の空気に順次に圧縮して昇圧される空気圧縮装置において、４ポートの第１切換弁〜第ｎ切換弁及び第１タンク〜第ｎタンクがそれぞれ配設され、第１切換弁が連通位置に位置し第２切換弁〜第ｎ切換弁が遮断位置に位置するとき、大気が第１切換弁の吸込通路を通って圧縮機の吸込ポートに連通されるとともに圧縮機の吐出ポートが第１切換弁の吐出通路を通って第１タンクに連通され、第２切換弁〜第ｎ切換弁及び第２タンク〜第ｎタンクについてｎを２から順次に増加して、第１切換弁〜第ｎ−１切換弁が遮断位置に位置し第ｎ切換弁が連通位置に位置するとき、第ｎ−１タンクが第ｎ切換弁の吸込通路を通って圧縮機の吸込ポートに連通されるとともに圧縮機の吐出ポートが第ｎ切換弁の吐出通路を通って第ｎタンクに連通されることを第４構成とする。
【０００６】
【発明の実施の形態】
図１は、本発明の空気圧縮装置の参考例を示す。参考例では、低昇圧比の圧縮機が１台、３ポート２位置式切換弁が２個、タンクが２個用いられている。第１切換弁（第１電磁切換弁）11及び第２切換弁（第２電磁切換弁）12は、ともにポート１〜３を備え、低圧位置Ｉと高圧位置IIとを有している。
【０００７】
第１切換弁11は、低圧位置Ｉにおいてポート１（大気側ポート）とポート３（圧縮機の吸込側ポート）とが連通されるとともにポート２（低圧タンク側ポート）がブロック（閉鎖）され、高圧位置IIにおいてポート２とポート３とが連通されるとともにポート１がブロックされるように構成されている。第２切換弁12は、低圧位置Ｉにおいてポート１（圧縮機の吐出側ポート）とポート２（低圧タンク側ポート）とが連通されるとともにポート３（高圧タンク側ポート）がブロックされ、高圧位置IIにおいてポート１とポート３とが連通されるとともにポート２がブロックされるように構成されている。
【０００８】
第１切換弁11のポート１は配管16によって大気に連通され、第１切換弁11のポート２は配管20によって低圧タンク13に連通され、第１切換弁11のポート３は配管17によって低昇圧比の圧縮機10の吸込ポートに25に連通されている。第２切換弁12のポート１は配管18によって圧縮機10の吐出ポート26に連通され、第２切換弁12のポート２は配管19によって低圧タンク13に連通され、第２切換弁12のポート３は配管22によって高圧タンク14に連通されている。
【０００９】
配管19と高圧タンク14との間には配管21が接続され、配管21には配管19（低圧タンク13）から高圧タンク14の方向の空気の流れのみを許すチェック弁15が配設されている。低圧タンク13内の低圧の圧縮空気は配管23を通ってアクチュエータなどへ流出され、高圧タンク14内の高圧の圧縮空気は配管24を通ってアクチュエータなどへ流出される。低圧タンク13及び高圧タンク14には圧力計が配設され、圧縮機10は電動機により作動される。
【００１０】
参考例の作用について説明する。第１切換弁11及び第２切換弁12がともに図示の低圧位置Ｉ（オフ位置）に位置するとき、圧縮機10の作動により、大気が配管16、第１切換弁11のポート１，３、配管17、吸込ポート25を通って圧縮機10に吸い込まれる。圧縮機10で１段目の圧縮により昇圧された低圧の圧縮空気は吐出ポート26、配管18、第２切換弁12のポート１，２、配管19を通って低圧タンク13に充填される。
【００１１】
低圧タンク13内の圧縮空気が所定の圧力に達したとき、第１切換弁11及び第２切換弁12がともに高圧位置II（オン位置）に切り換えられる。低圧タンク13内の低圧の圧縮空気は配管20、第１切換弁11のポート２，３、配管17、吸込ポート25を通って圧縮機10に吸い込まれる。圧縮機10で２段目の圧縮により低圧から高圧に昇圧された圧縮空気は吐出ポート26、配管18、第２切換弁12のポート１，３、配管22を通って高圧タンク14に充填される。
【００１２】
高圧タンク14内の圧縮空気が所定の高圧に昇圧されると、この圧縮空気を高圧の圧縮空気として使用することができる。また、低圧タンク13内の圧縮空気を低圧の圧縮空気として使用することができる。低圧タンク13内の圧縮空気及び高圧タンク14内の圧縮空気の使用量に応じて、第１切換弁11及び第２切換弁12を低圧位置Ｉ又は高圧位置IIに切り換えながら圧縮機10を作動させることとなる。なお、高圧タンク14内の空気が低圧タンク13内の空気よりも低圧のときは、配管19・21、チェック弁15を通って低圧タンク13から高圧タンク14へ圧縮空気が流れることとなる。
【００１３】
図２は、本発明の空気圧縮装置の実施の形態第１を示す。実施の形態第１では、低昇圧比の圧縮機が１台、６ポート３位置の切換弁が１個、タンクが３個用いられている。切換弁（電磁切換弁）31には低圧位置Ｉ、中圧位置II、高圧位置III があり、低圧位置Ｉではポート１（大気側ポート）とポート５（圧縮機の吸込側ポート）とが連通されるとともにポート６（圧縮機の吐出側ポート）とポート２（低圧タンク側ポート）とが連通され、ポート３（中圧タンク側ポート）と４ポート（高圧タンク側ポート）がともにブロックされる。中圧位置IIではポート２と５とが連通されるとともにポート６と３とが連通され、ポート１と４がともにブロックされる。高圧位置III ではポート３と５とが連通されるとともにポート６と４とが連通され、ポート１と２がともにブロックされる。
【００１４】
切換弁31のポート１は配管38によって大気に連通され、切換弁31のポート２〜４が配管41、42、43によって低圧タンク32、中圧タンク33、高圧タンク34にそれぞれ連通されている。切換弁31のポート５は配管39によって圧縮機30の吸込ポート57に連通され、圧縮機30の吐出ポート58は配管40によって切換弁31のポート６に連通されている。
【００１５】
配管41と配管42との間には配管44が接続され、配管44には配管41から配管42の方向の空気の流れのみを許す第１チェック弁35が配設されている。また、配管42と配管43との間には配管45が接続され、配管45には配管42から配管43の方向の空気の流れのみを許す第２チェック弁36が配設されている。低圧タンク32、中圧タンク33、高圧タンク34内の圧縮空気はそれぞれ配管46、47、48を通ってアクチュエータなどへ流出される。
【００１６】
各タンク32、33、34には圧力計がそれぞれ配設され、圧縮機30は電動機により作動される。なお、図２には３段圧縮の空気圧縮装置が示されているが、中圧タンク33、第２チェック弁36等を取り除き（タンクを低圧タンク及び高圧タンクの２個とし）、切換弁を低圧位置と高圧位置の２位置の切換弁となして、２段圧縮の空気圧縮装置とすることができる。
【００１７】
実施の形態第１の作用について説明する。切換弁31が図示の低圧位置Ｉ（中立位置）に位置するとき、圧縮機30の作動により、大気が配管38、切換弁31のポート１，5 （低圧位置にある切換弁31の吸込通路）、配管39、吸込ポート57を通って圧縮機30に吸い込まれる。圧縮機30で１段目の圧縮により昇圧された低圧の圧縮空気は吐出ポート58、配管40、切換弁31のポート６，２（低圧位置にある切換弁31の吐出通路）、配管41を通って低圧タンク32に充填される。
【００１８】
低圧タンク32内の圧縮空気が所定の圧力に達したとき、ソレノイド28に電圧が印可され、切換弁31が中圧位置IIに切り換えられる。低圧タンク32内の低圧の圧縮空気が配管41、切換弁31のポート２，5 （中圧位置にある切換弁31の吸込通路）、配管39、吸込ポート57を通って圧縮機30に吸い込まれる。圧縮機30で２段目の圧縮により低圧から中圧に昇圧された圧縮空気は、吐出ポート58、配管40、切換弁31のポート６，３（中圧位置にある切換弁31の吐出通路）、配管42を通って中圧タンク33に充填される。
【００１９】
中圧タンク33内の圧縮空気が所定の圧力に達したとき、ソレノイド29に電圧が印可され、切換弁31が高圧位置III に切り換えられる。中圧タンク33内の中圧の圧縮空気が配管42、切換弁31のポート３，5 （高圧位置にある切換弁31の吸込通路）、配管39、吸込ポート57を通って圧縮機30に吸い込まれる。圧縮機30で３段目の圧縮により中圧から高圧に昇圧された圧縮空気は吐出ポート58、配管40、切換弁31のポート６，４（高圧位置にある切換弁31の吐出通路）、配管43を通って高圧タンク34に充填される。
【００２０】
高圧タンク34内の空気が中圧タンク33の空気よりも低圧のときは、配管42・45、第２チェック弁36、配管43を通って中圧タンク33から高圧タンク34へ圧縮空気が流される。同様に、中圧タンク33内の空気が低圧タンク32の空気よりも低圧のときは、配管41・44、第１チェック弁35、配管42を通って低圧タンク32から中圧タンク33へ圧縮空気が流される。
【００２１】
高圧タンク34内の圧縮空気が所定の高圧に昇圧されると、この圧縮空気を高圧の圧縮空気として使用することができる。同様に、中圧タンク33又は低圧タンク32内の圧縮空気を中圧又は低圧の圧縮空気として使用することができる。なお、低圧タンク32、中圧タンク33、高圧タンク34内のそれぞれの圧縮空気の使用量に応じて、切換弁31を切り換えながら圧縮機10を作動させることとなる。
【００２２】
図３は本発明の空気圧縮装置の実施の形態第２を示す。実施の形態第２では、低昇圧比の圧縮機が１台、４ポート２位置の切換弁（電磁切換弁）が４個、タンクが４個用いられている。第１切換弁61〜第４切換弁64にはそれぞれ遮断位置Ｉ及び連通位置IIがあり、遮断位置Ｉではポート１〜４がすべてブロックされ、連通位置IIではポート１と３とが連通されるとともにポート４と２とが連通される。
【００２３】
第１切換弁61〜第４切換弁64の各ポート３（圧縮機の吸込側ポート）は配管79によって圧縮機60の吸込ポート75に連通され、圧縮機60の吐出ポート76は配管80によって第１切換弁61〜第４切換弁64の各ポート４（圧縮機の吐出側ポート）に連通されている。なお、配管79、80は第１切換弁61〜第４切換弁64の各ポート３、4 に連通するため分岐されているが、分岐された配管を含めて配管79、80と総称することとする。
【００２４】
第１切換弁61のポート１（大気側ポート）は配管78によって大気に連通され、第１切換弁61のポート２（第１タンク側ポート）は配管81によって第１タンク66に連通されている。第２切換弁62のポート１（第１タンク側ポート）は配管82，81によって第１タンク66に連通され、第２切換弁62のポート２（第２タンク側ポート）は配管84によって第２タンク67に連通されている。第３切換弁63のポート１（第２タンク側ポート）は配管85，84によって第２タンク67に連通され、第３切換弁63のポート２（第３タンク側ポート）は配管87によって第３タンク68に連通されている。第４切換弁64のポート１（第３タンク側ポート）は配管88、87によって第３タンク68に連通され、第４切換弁64のポート２（第４タンク側ポート）は配管90によって第４タンク69に連通されている。
【００２５】
配管81と配管84との間には配管83が接続され、配管83には配管81から配管84の方向の空気の流れのみを許す第１チェック弁71が配設されている。また、配管84と配管87との間には配管86が接続され、配管86には配管84から配管87の方向の空気の流れのみを許す第２チェック弁72が配設されている。同様に、配管87と配管90との間には配管89が接続され、配管89には配管87から配管90の方向の空気の流れのみを許す第３チェック弁73が配設されている。
【００２６】
第１タンク66〜第４タンク69の圧縮空気はそれぞれ配管91〜94を通ってアクチュエータなどへ流出される。第１タンク66〜第４タンク69には圧力計がそれぞれ配設され、圧縮機60は電動機により作動される。なお、図３には４段圧縮の例が記載されているが、第４切換弁64，第４タンク69，第３チェック弁73，配管を取り去って３段圧縮の装置にすることができ、同様にして２段圧縮の装置にすることができる。また、図３の装置に切換弁、タンク、チェック弁を順次に追加し、配管により２〜４段と同様に接続して、ｎ段圧縮とすることができる。
【００２７】
実施の形態第２の作用について説明する。第１切換弁61を連通位置に切り換え、第２切換弁62〜第４切換弁64を遮断位置に維持し、圧縮機60を作動させて、１段目の圧縮が行われる。大気が配管78、第１切換弁61のポート１，３（第１切換弁61の吸込通路）、配管79、吸込ポート75を通って圧縮機60に吸い込まれる。圧縮機60で１段目の圧縮により昇圧された圧縮空気は吐出ポート76、配管80、第１切換弁61のポート４，２（第１切換弁61の吐出通路）、配管81を通って第１タンク66に充填される。
【００２８】
第１タンク66内の圧縮空気が所定の圧力に達したとき、第１切換弁61が遮断位置に切り換えられ、第２切換弁62が連通位置に切り換えられ、第３切換弁63・第４切換弁64が遮断位置に維持されて、２段目の圧縮が行われる。第１タンク66内の圧縮空気が配管81，82、第２切換弁62のポート１，３（第２切換弁61の吸込通路）、配管79、吸込ポート75を通って圧縮機60に吸い込まれる。圧縮機60で２段目の圧縮により昇圧された圧縮空気は吐出ポート76、配管80、第２切換弁62のポート４，２（第２切換弁61の吐出通路）、配管84を通って第２タンク67に充填される。
【００２９】
第２タンク67内の圧縮空気が所定の圧力に達したとき、第３切換弁63が連通位置に切り換えられ、他の切換弁61，62，64が遮断位置に位置され、第２段目の圧縮と同様にして、第２タンク67内の圧縮空気が圧縮機60で３段目の圧縮により昇圧されて第３タンク68に充填される。同様に、第３タンク68内の圧縮空気が所定の圧力に達したとき、第３タンク87内の圧縮空気が圧縮機60で４段目の圧縮により昇圧されて第４タンク69に充填される。第２切換弁〜第ｎ切換弁及び第２タンク〜第ｎタンクについてｎを２から順次に増加して、第１切換弁〜第ｎ−１切換弁が遮断位置に位置し第ｎ切換弁が連通位置に位置するとき、第ｎ−１タンクが第ｎ切換弁の吸込通路を通って圧縮機の吸込ポートに連通されるとともに圧縮機の吐出ポートが第ｎ切換弁の吐出通路を通って第ｎタンクに連通される。第１チェック弁71〜第３チェック弁73の機能、第１切換弁61〜第４切換弁64の操作、その他のことは実施の形態第１と同様である。
【００３０】
【発明の効果】
本発明においては、１台の低昇圧比の圧縮機により２〜ｎ段の圧縮を行って高圧の圧縮空気を発生させることができ、昇圧の途中の圧縮空気を取り出して低圧〜高圧（２〜ｎ種類の圧力）の圧縮空気を発生させることができる。低昇圧比の圧縮機を１台使用するのみであるので、圧縮空気の温度上昇が小さくて冷却が不要であり、電力消費及び空気圧縮装置のコストが低い。
【図面の簡単な説明】
【図１】  本発明の空気圧縮装置の参考例の回路図である。
【図２】  本発明の空気圧縮装置の実施の形態第１の回路図である。
【図３】  本発明の空気圧縮装置の実施の形態第２の回路図である。
【図４】  図４(a) は空気圧縮装置の従来例１の回路図であり、図４(b) は空気圧縮装置の従来例２の回路図である。
【符号の説明】
10：圧縮機
11：第１切換弁
12：第２切換弁
13：低圧タンク
14：高圧タンク
【図１】
0003668421.tif 000002
【図２】
0003668421.tif 000003
【図３】
0003668421.tif 000004
【図４】
0003668421.tif 000005